(57)【要約】【課題】  十分な強度が確保されるパネル組立構造体を提供する。【解決手段】  パネル組立構造体は、正面パネル１５と、背面パネル２０と、平面パネル２５と、底面パネル３０と、左側面パネル４１と、右側面パネル６１とから構成されている。平面パネル２５及び底面パネル３０は、各々の突出部が左側面パネル４１及び右側面パネル６１の各々を折り曲げることで自動的に形成される開口から突出した状態で組み合わされている。又、平面パネル２５及び底面パネル３０は、各々が左側面パネル４１及び右側面パネル６１の平坦部の内面に沿うように係合している。これにより、パネル組立構造体１１には十分な強度が確保される。【選択図】      図１
2015027281.tif 000002
【特許請求の範囲】
【請求項１】
１枚のパネルが折曲げ線を介して平坦部と折曲げ部とに分けられ、前記折曲げ線の位置から前記折曲げ部の側に突出した凸部を構成する切れ目が形成され、前記折曲げ線の位置で前記平坦部に対して前記折曲げ部が折り曲げられて前記切れ目に対応する開口が前記凸部の近傍の前記折曲げ部に形成される外殻板と、
１枚の他のパネルから構成され、前記外殻板の前記平坦部の内面に沿うように係合すると共に、その端部が前記開口を介して外方に突出る突出部を有する補強板とを備えた、パネル組立構造体。
【請求項２】
前記折曲げ部は前記平坦部に対して直角方向に折り曲げられ、
前記突出部の断面のうち前記開口に対応する特定断面は、前記開口を塞ぐ寸法に設定される、請求項１記載のパネル組立構造体。
【請求項３】
前記突出部は、前記凸部の全面に重なる、請求項２記載のパネル組立構造体。
【請求項４】
前記凸部は所定間隔で複数形成され、
前記突出部は前記凸部に対応した位置に複数形成される、請求項１から請求項３のいずれかに記載のパネル組立構造体。
【請求項５】
前記パネルの各々は段ボール紙よりなり、
前記突出部の先端側の幅は前記開口の幅より大きく設定される、請求項１から請求項４のいずれかに記載のパネル組立構造体。
【発明の詳細な説明】
【技術分野】
【０００１】
この発明はパネル組立構造体に関し、特に猫等のペット用遊具として使用されるパネル組立構造体に関するものである。
【背景技術】
【０００２】
猫等のペットを収容可能であり、ペット用遊具として使用されるパネル組立構造体が種々提案されている。
【０００３】
図１４は特許文献１で示したパネル組立構造体の外観形状を概略的に示した斜視図である。
【０００４】
図を参照して、パネル組立構造体８１は、箱体本体８３と、正面板８７と、背面板８８とを組み合わせて構成されている。
【０００５】
図１５は図１４で示した箱体本体を組み立てる前の箱体本体の外観形状を概略的に示した斜視図である。
【０００６】
図を参照して、箱体本体８３は、箱体本体８３の一方端に形成された凸部８４ａ、８４ｂを、箱体本体８３の他方端に形成された差込口８５ａ、８５ｂに差し込むことで立体的形状に構成される。このようにして構成された箱体本体８３に図１４で示した正面板８７や背面板８８を取り付けることでパネル組立構造体８１は完成する。
このようなパネル組立構造体とは全体的な構成が異なるものの、一方の部材に設けられた凸部を他方の部材に設けられた差込口に差し込むことで構成されるパネル組立構造体には、特許文献２や特許文献３にも開示されている。尚、こうしたパネル組立構造体は、段ボール紙からなるパネルで構成されている。
【先行技術文献】
【特許文献】
【０００７】
【特許文献１】特開２００４−１６６６７０号公報
【特許文献２】登録実用新案第３０３９３８０号公報
【特許文献３】登録実用新案第３１７１１７２号公報
【発明の概要】
【発明が解決しようとする課題】
【０００８】
しかしながら図１４で示したような従来のパネル組立構造体８１にあっては、一方の部材に形成された凸部８４ａ、８４ｂを、他方の部材に形成された差込口８５ａ、８５ｂに挿入するだけで構成されているため、部材間の連結部分は脆い構成となっている。とりわけパネル組立構造体８１を猫等のペット用の遊具として使用する場合、ペットは人間が予測しえない動きをすることもあるため、パネル組立構造体８１ではその強度が不十分である。
【０００９】
そこで十分な強度を確保すべく、パネル組立構造体を構成する段ボール紙の厚さを厚く設定することが考えられるが、そうなるとコストが高くなり好ましくない。
【００１０】
この発明は上記のような課題を解決するためになされたもので、十分な強度が確保されるパネル組立構造体を提供することを目的とする。
【課題を解決するための手段】
【００１１】
上記の目的を達成するために、請求項１記載の発明は、１枚のパネルが折曲げ線を介して平坦部と折曲げ部とに分けられ、折曲げ線の位置から折曲げ部の側に突出した凸部を構成する切れ目が形成され、折曲げ線の位置で平坦部に対して折曲げ部が折り曲げられて切れ目に対応する開口が凸部の近傍の折曲げ部に形成される外殻板と、１枚の他のパネルから構成され、外殻板の平坦部の内面に沿うように係合すると共に、その端部が開口を介して外方に突出る突出部を有する補強板とを備えたものである。
【００１２】
このように構成すると、開口が自動的に形成されると共に、凸部と突出部の少なくとも一部が重なった状態で組み立てられる。
【００１３】
請求項２記載の発明は、請求項１記載の発明の構成において、折曲げ部は平坦部に対して直角方向に折り曲げられ、突出部の断面のうち開口に対応する特定断面は、開口を塞ぐ寸法に設定されるものである。
【００１４】
このように構成すると、補強板が外殻板に対して密着状態となってずれない。
【００１５】
請求項３記載の発明は、請求項２記載の発明の構成において、突出部は、凸部の全面に重なるものである。
【００１６】
このように構成すると、折曲げ部の戻りに対するストッパー機能が最大になると共に、凸部に加わる力は全て突出部に加わる。
【００１７】
請求項４記載の発明は、請求項１から請求項３のいずれかに記載の発明の構成において、凸部は所定間隔で複数形成され、突出部は凸部に対応した位置に複数形成されるものである。
【００１８】
このように構成すると、折曲げ線が長い外殻板にも対応できる。
【００１９】
請求項５記載の発明は、請求項１から請求項４のいずれかに記載の発明の構成において、パネルの各々は段ボール紙よりなり、突出部の先端側の幅は開口の幅より大きく設定されるものである。
【００２０】
このように構成すると、突出部は抜け止め状態となる。
【発明の効果】
【００２１】
以上説明したように、請求項１記載の発明は、開口が自動的に形成されると共に、凸部と突出部の少なくとも一部が重なった状態で組み立てられるため、開口による抜きカスが生じないと共に、外殻板の強度が向上する。
【００２２】
請求項２記載の発明は、請求項１記載の発明の効果に加えて、補強板が外殻板に対して密着状態となってずれないため、外殻板は折り曲げ状態がより安定する。
【００２３】
請求項３記載の発明は、請求項２記載の発明の効果に加えて、折曲げ部の戻りに対するストッパー機能が最大になると共に、凸部に加わる力は全て突出部に加わるため、組立状態が堅固になると共に凸部に加わる力が分散する。
【００２４】
請求項４記載の発明は、請求項１から請求項３のいずれかに記載の発明の効果に加えて、折曲げ線が長い外殻板にも対応できるため、大きな外殻板でも強度の調整が可能となる。
【００２５】
請求項５記載の発明は、請求項１から請求項４のいずれかに記載の発明の効果に加えて、突出部は抜け止め状態となるため、組立状態がより堅固になり、信頼性が向上する。
【図面の簡単な説明】
【００２６】
【図１】この発明の第１の実施の形態によるパネル組立構造体の外観形状を示した斜視図である。
【図２】図１で示した正面パネルの外観形状を示した正面図である。
【図３】図１で示した平面パネルの外観形状を示した正面図である。
【図４】図１で示した左側面パネルの展開状態の外観形状を示した正面図である。
【図５】左側面パネルと平面パネルとを組み合わせる前の左側面パネル及び平面パネルの各々の外観形状を示した斜視図である。
【図６】図５で示したＶＩ−ＶＩラインの拡大断面図である。
【図７】図５で示したＶＩＩ−ＶＩＩラインの拡大断面図である。
【図８】左側面パネルと平面パネルとを組み合わせた後の左側面パネル及び平面パネルの外観形状を示した斜視図である。
【図９】図８で示したＩＸ−ＩＸラインの拡大断面図である。
【図１０】図８で示したＸ−Ｘラインの拡大断面図である。
【図１１】本実施の形態に係るパネル組立構造体の効果を説明するための図である。
【図１２】図１で示したパネル組立構造体の組立工程の一部を示した斜視図である。
【図１３】図１２で示した工程に続くパネル組立構造体の組立工程の他の一部を示した斜視図である。
【図１４】特許文献１で示したパネル組立構造体の外観形状を概略的に示した斜視図である。
【図１５】図１４で示した箱体本体を組み立てる前の箱体本体の外観形状を概略的に示した斜視図である。
【発明を実施するための形態】
【００２７】
図１はこの発明の第１の実施の形態によるパネル組立構造体の外観形状を示した斜視図である。
【００２８】
図を参照して、パネル組立構造体１１は、正面パネル１５と、正面パネル１５に対向するようにして配置された背面パネル２０と、一方端部が正面パネル１５の上方と係合し、他方端部が背面パネル２０の上方と係合した平面パネル２５と、一方端部が正面パネル１５の下方と係合し、他方端部が背面パネル２０の下方と係合した底面パネル３０と、平面パネル２５の上面及び底面パネル３０の下面の各々の一部を覆うようにして正面パネル１５及び背面パネル２０の各々の一方側端部と係合した左側面パネル４１と、平面パネル１５の上面及び底面パネル３０の下面の各々の他の一部を覆うようにして正面パネル１５及び背面パネル２０の各々の他方側端部と係合した右側面パネル６１とから構成されている。
【００２９】
図２は図１で示した正面パネルの外観形状を示した正面図であり、図３は図１で示した平面パネルの外観形状を示した正面図であり、図４は図１で示した左側面パネルの展開状態の外観形状を示した正面図である。尚、背面パネル２０及び底面パネル３０はそれぞれ平面パネル２５と同一に表れるため、ここでの説明は省略する。又、右側面パネル６１は左側面パネル４１と対称に表れるため、ここでの説明は省略する。
【００３０】
まず図２を参照して、正面パネル１５は、段ボール紙からなる正方形形状の１枚のパネルから構成されており、平面中央には平面の一部を切り抜いて形成された円形開口１６が形成されている。そして正面パネル１５の端部には、全周にわたって外方に突き出る突出部１７が複数形成されている。
【００３１】
次に図３を参照して、平面パネル２５は、段ボール紙からなる正方形形状の１枚のパネルから構成されており、端部には、全周にわたって外方に突き出る突出部２６が複数形成されている。このとき、突出部２６は、後述する開口を介して外方向に突き出るように設定されている。
【００３２】
最後に図４を参照して、左側面パネル４１は、ダンボール紙からなる長方形形状の１枚のパネルから構成されており、長辺両端部には外方に突き出る突出部４２が複数形成されている。そして左側面パネル４１は、図中二点鎖線で示す折曲げ線４５を介して平坦部４８と折曲げ部５３とに分けられている。尚、折曲げ部５３には、平面においてその一部を円形状に切り抜くことで形成された円形開口５４が形成されている。又、折曲げ線４５の位置からは、折曲げ部５３の側に突出した凸部４９を形成する切れ目５０が形成されている。ここで、切れ目５０が形成されたことによる効果について説明する。
【００３３】
図５は左側面パネルと平面パネルとを組み合わせる前の左側面パネル及び平面パネルの各々の外観形状を示した斜視図であり、図６は図５で示したＶＩ−ＶＩラインの拡大断面図であり、図７は図５で示したＶＩＩ−ＶＩＩラインの拡大断面図であり、図８は左側面パネルと平面パネルとを組み合わせた後の左側面パネル及び平面パネルの外観形状を示した斜視図であり、図９は図８で示したＩＸ−ＩＸラインの拡大断面図であり、図１０は図８で示したＸ−Ｘラインの拡大断面図である。
【００３４】
まず図５から図７までを参照して、左側面パネル４１について折曲げ線４５（図４参照）の位置で平坦部４８に対して折曲げ部５３を折り曲げると、切れ目５０（図４参照）に対応する開口４６が、凸部４９の近傍の折曲げ部５３に自動的に形成される。
【００３５】
これによって、開口４６を介して平面パネル２５の突出部２６が外方向に突き出るようにして平面パネル２５と左側面パネル４１とを組み合わせることができる。
【００３６】
ここで、突出部２６のうち開口４６に対応する特定断面は、開口４６を塞ぐ寸法に設定されている。又、突出部２６の先端側の幅は開口４６の幅よりも大きく設定されている。従って、開口４６を介して平面パネル２５の突出部２６が外方向に突き出るようにして平面パネル２５と左側面パネル４１とを組み合わせ、更にその状態から図８に示したように折曲げ部５３を平坦部４８に対して直角方向に曲げると、図６に示した開口４６は平面パネル２５の突出部２６によって塞がれると共に、突出部２６は凸部４９の全面に重なる。
【００３７】
ここで、突出部２６が凸部４９の全面に重なることによる効果と、折曲げ部５３を平坦部４８に対して直角方向に曲げることによる効果とについて説明する。
【００３８】
図１１は本実施の形態に係るパネル組立構造体の効果を説明するための図である。
【００３９】
図を参照して、図１１の（１）は本実施の形態に係るような凸部が設けられていない左側面パネル９０を平面パネル２５に取り付けた状態を示す断面図であり、図１１の（２）は、本実施の形態にかかる凸部４９が設けられた左側面パネル４１を平面パネル２５に取り付けた状態を示す断面図であり、図９に対応している。
【００４０】
図１１の（１）に示すように、凸部が設けられてない左側面パネル９０の場合と比べて、図１１の（２）に示すように、凸部４９が左側面パネル４１に設けられていることで、左側面パネル４１の上面側から図中矢印で示す方向へ力が加えられた際、図１１の（１）に示した左側面パネル９０の場合と比較して、図１１の（２）に示したように凸部４９が設けられた分、力が分散する。更に、凸部４９に加わる力は全てが平面パネル２５の突出部２６に加わるために、組立構造が堅固になる。又、突出部２６は凸部４９の全面に重なっているため、図１１の（２）において太線の矢印で示すように折曲げ部５３に対して戻りの力が作用しても、凸部４９が突出部２６を押え付けてストッパーとして機能するため、組立状態は変化しにくくなり堅固になる。
【００４１】
次に図１１の（２）を参照して、折曲げ部５３を平坦部４８に対して直角方向に曲げると開口４６は最大となるため、平面パネル２５の突出部２６が開口４６を介して外方向に突き出るようにして平面パネル２５を左側面パネル４１に組み合わせることにより、折り曲げ状態は変化しない。
【００４２】
次に、この発明の第１の実施の形態によるパネル組立構造体の組立工程の一例について説明する。
【００４３】
図１２は図１で示したパネル組立構造体の組立工程の一部を示した斜視図であり、図１３は図１２で示した工程に続くパネル組立構造体の組立工程の他の一部を示した斜視図である。
【００４４】
これらの図を参照して、はじめに、正面パネル１５と背面パネル２０の各々の上方の突出部１７、突出部２１を、平面パネル２５の突出部２６に係合させる。又、正面パネル１５と背面パネル２０の各々の下方の突出部１７、突出部２１を、底面パネル３０の突出部３１と係合させる。こうして正面パネル１５と、背面パネル２０と、平面パネル２５と、底面パネル３０とが組み合わされた中間体７１を得る。
【００４５】
それから、図１３で示したように、左側面パネル４１を、折曲げ線４５（図４参照）の位置で平坦部４８に対して折曲げ部５３を折り曲げた状態で、中間体７１に取り付ける。具体的には、平面パネル２５が左側面パネル４１の一方の平坦部４８の内面に沿うようにして、左側面パネル４１の突起部４２を、対応する正面パネル１５及び背面パネル２０の各々の突起部１７、突起部２１に係合させる。このとき、平面パネル２５及び底面パネル３０の各々の突出部２６、突起部３１が、左側面パネル４１を折り曲げることで自動的に形成された開口４６（図６参照）を介して外方向に突き出るようにして取り付ける。
【００４６】
このように、本実施の形態によれば、左側面パネル４１に自動的に開口４６が形成されるため、左側面パネル４１を構成する段ボール紙を切り抜いて開口を形成させる必要がなく、開口４６による抜きカスが生じない。
【００４７】
又、突出部２６の断面のうち開口４６に対応する特定断面は開口４６を塞ぐ寸法に設定されているため、平面パネル２５が左側面パネル４１に対して密着状態となってずれなくなる。更に、突出部２６の先端側の幅は、開口４６の幅よりも大きく設定されていることで突出部２６は抜け止め状態となるため、組立状態がより堅固になり、信頼性が向上する。
【００４８】
そして最後に、右側面パネル６１についても左側面パネル４１と同様にして中間体７１に取り付けることで、図１に示したパネル組立構造体１１が得られる。
【００４９】
このように、パネル組立構造体１１は、図１１の（２）に示したように、凸部４９と突出部２６とが重なった状態で組み立てられるため、左側面パネル４１及び右側面パネル６１の強度が向上する。更に、上述のように平面パネル２５及び底面パネル３０は左側面パネル４１及び右側面パネル６１の各々に対して密着状態となってずれないため、左側面パネル４１及び右側面パネル６１の各々の折り曲げ状態が安定する。
【００５０】
尚、上記の実施の形態では、左側面パネル及び右側面パネルとして表現した外殻板は特定形状を有するが、外殻板は、少なくとも１枚のパネルが少なくとも１本の折曲げ線を介して平坦部と折曲げ部とに分けられ、折曲げ線の位置から折曲げ部の側に突出した凸部を構成する切れ目が形成され、折曲げ線の位置で平坦部に対して折曲げ部が折り曲げられて切れ目に対応する開口が凸部の近傍の折曲げ部に形成されるものであれば、どのような形状であっても良い。
【００５１】
又、上記の実施の形態では、平面パネルとして表現した補強板は特定形状を有するが、補強板は、少なくとも１枚のパネルから構成され、外殻板の平坦部の内面に沿うように係合すると共に、その端部が外殻板に形成される開口を介して外方に突き出る突出部を有するものであれば、どのような形状であっても良い。
【００５２】
更に、上記の実施の形態では、折曲げ部は平坦部に対して所定の方向に折り曲げられ、又、補強板の厚さ及び突出部の断面のうち開口に対応する特定断面は所定の寸法に設定されているが、他の方向に折り曲げたり、他の寸法に設定しても良い。この場合、形成された開口の大きさは、補強板に合わせるように設定すれば良い。
【００５３】
更に、上記の実施の形態では、突出部は、凸部の全面に重なる構成としたが、突出部は、凸部の一部に重なっていても良い。
【００５４】
更に、上記の実施の形態では、凸部は所定間隔で複数形成され、突出部は凸部に対応した位置に複数形成されているが、凸部の間隔や凸部の位置、又これらの数を異ならせても良い。
【００５５】
更に、上記の実施の形態では、パネルの各々は段ボール紙よりなるものであるが、他のパネル状の素材からなるものであっても本発明と同様の効果を奏する。
【００５６】
更に、上記の実施の形態では、突出部の先端側の幅は開口の幅より大きく設定されているが、開口の幅以下であっても良い。
【００５７】
更に、上記の実施の形態では、外殻板と補強板とは同じ素材で構成されているが、これらは異なった素材で構成されていても良い。
【符号の説明】
【００５８】
１１…パネル組立構造体
２５…平面パネル
２６…突出部
４１…左側面パネル
４５…折曲げ線
４６…開口
４８…平坦部
４９…凸部
５０…切れ目
５３…折曲げ部
尚、各図中同一符号は同一又は相当部分を示す。
【図１】
2015027281.tif 000003
【図２】
2015027281.tif 000004
【図３】
2015027281.tif 000005
【図４】
2015027281.tif 000006
【図５】
2015027281.tif 000007
【図６】
2015027281.tif 000008
【図７】
2015027281.tif 000009
【図８】
2015027281.tif 000010
【図９】
2015027281.tif 000011
【図１０】
2015027281.tif 000012
【図１１】
2015027281.tif 000013
【図１２】
2015027281.tif 000014
【図１３】
2015027281.tif 000015
【図１４】
2015027281.tif 000016
【図１５】
2015027281.tif 000017